(57)【要約】【課題】  記録メディアを収容したケースの分解・再組立の有無を外観から目視で判別することができる記録メディアカートリッジを得る。【解決手段】  記録テープカートリッジ１０では、それぞれ有底容器状に形成された上ケース１６と下ケース１８とが互いの周壁を突き合せた状態で接合されて成るケース１２内に、記録メディアとしての磁気テープＴを巻装したリール１４を収容している。上ケース１６の周壁１６Ａから下方に延設された係合片７０は、係合爪７４の上面が周壁１６Ａの開口端と対向する係合面とされており、下ケース１８の周壁１８Ａに設けられた凹部６０に入り込んでいる。この状態で、下ケース１８の被係合部６８が係合片７０の係合面と周壁１６Ａの開口端との対向面間に位置している。このため、上ケース１６と下ケース１８とを分離すると係合爪７４が破損するようになっており、係合爪７４の有無によって、ケース１２の分解・再組立の有無を外観から目視で判別することができる。【選択図】      図１
2005129138.tif 000002
【特許請求の範囲】
【請求項１】
それぞれ有底容器状に形成された第１ケースと第２ケースとが互いの周壁を突き合わせた状態で接合されて成るケース内に、記録メディアを収容した記録メディアカートリッジであって、
前記第１ケースの周壁から前記第２ケース側に延設され、該周壁の開口端と対向する係合面を有する係合部と、
前記第２ケースの周壁に設けられ、該第２ケースと前記第１ケースとの接合状態で前記係合部が入り込む切欠き部と、
前記第２ケースにおける前記切欠き部の縁部から延設され、該切欠き部に入り込ませた前記係合部の係合面と前記周壁の開口端との間に位置する張出部と、
を備えた記録メディアカートリッジ。
【請求項２】
前記係合部と前記切欠き部と前記張出部とを、前記周壁における異なる方向を向く部分にそれぞれ設けた、ことを特徴とする請求項１記載の記録メディアカートリッジ。
【請求項３】
前記第２ケースに設けられ前記係合部の内面と対向する内壁と、該内壁に設けられ前記係合部または張出部が破損すると外部に露出するマークとをさらに備えた、ことを特徴とする請求項１または請求項２記載の記録メディアカートリッジ。
【発明の詳細な説明】
【技術分野】
【０００１】
本発明は、例えばリールに巻装された記録テープや円盤状のディスクメディアをケース内に収容した記録メディアカートリッジに関する。
【背景技術】
【０００２】
コンピュータ等の外部記録媒体として、例えば、リールに巻装された記録テープや円盤状のディスクメディアをケース内に収容した記録メディアカートリッジが知られている。このような記録メディアカートリッジにおいて、情報の書き込みを１度だけ許容し、情報の書き込み後には情報の上書きを禁止して読み込み専用の記録媒体として使用される、所謂ＷＯＲＭ機能を有するものが考えられている。
【０００３】
このＷＯＲＭ機能は、例えば記録メディア自体、または記録メディアとは別個にケース内に収容したメモリボード等に情報の書き込みの有無情報を記憶しておき、ドライブ装置が該書き込み有無情報を参照して書き込み履歴がある場合には、該ドライブ装置が情報の上書きまたは消去を禁止することで果たされる。
【０００４】
このようなＷＯＲＭ機能を有する記録メディアカートリッジは、重要情報の長期保存等に用いられるため、ケースを分解することによる記録データの改ざん（例えば、記録メディアやメモリボードの不正な交換等）に対し保護される必要がある。このため、上ケースと下ケースとが互いの周壁を突き合わせた状態で接合されるケースにおいて、例えば、周壁の突合せ端を全周に亘り超音波溶着により固着したり、上ケースと下ケースとを特殊なねじを用いて接合したりすることで、ケースを分解することが困難な構造とすることが考えられる。
【０００５】
しかしながら、上ケース及び下ケースの周壁を全周に亘り溶着すると、内部に収容した記録メディア（特にリールに巻装した記録テープ）、ケースに設けられた開口を開閉するシャッターやドア等の摺動部材に熱影響を与えたり、これらをケースと共に溶着してしまうといった不具合が考えられる。この対策として、記録メディアや摺動部材を避けて周壁を部分的に溶着すると、ケースの分解及び再組立が容易となり、かつ該分解及び再組立が行なわれたか否か（改ざんの有無）を記録メディアカートリッジの外観から判別することが困難である。また、特殊なねじを用いた場合は、該ねじに対応した特殊な工具を用いることでケースの分解及び再組立が可能であり、かつ溶着の場合と同様に該分解及び再組立が行なわれたか否かを記録メディアカートリッジの外観から判別することが困難である。      
【０００６】
また、上ケースと下ケースとをねじ止めにて接合する構成において、ケースに設けられねじの頭部を入り込ませた孔に、樹脂材を充填・固化することでケースの分解を阻止することが考えられている（例えば、特許文献１、特許文献２参照）。この構成では、上記孔に充填された樹脂材を除去しなければケースの分解、再組立が不可能であり、データの改ざんが行われ難い。しかしながら、この構成においても、仮にケースの分解・再組立、及び樹脂材の再充填が行なわれると、該再組立後の外観からは、該分解及び再組立が行なわれたか否か（改ざんの有無）を判別することが困難である。
【特許文献１】実開昭５９−１１８１８９号公報
【特許文献２】実開昭５８−１６５７８９号公報
【発明の開示】
【発明が解決しようとする課題】
【０００７】
本発明は、上記事実を考慮して、記録メディアを収容したケースの分解・再組立の有無を外観から目視で判別することができる記録メディアカートリッジを得ることが目的である。
【課題を解決するための手段】
【０００８】
上記目的を達成するために請求項１記載の発明に係る記録メディアカートリッジは、それぞれ有底容器状に形成された第１ケースと第２ケースとが互いの周壁を突き合わせた状態で接合されて成るケース内に、記録メディアを収容した記録メディアカートリッジであって、前記第１ケースの周壁から前記第２ケース側に延設され、該周壁の開口端と対向する係合面を有する係合部と、前記第２ケースの周壁に設けられ、該第２ケースと前記第１ケースとの接合状態で前記係合部が入り込む切欠き部と、前記第２ケースにおける前記切欠き部の縁部から延設され、該切欠き部に入り込ませた前記係合部の係合面と前記周壁の開口端との間に位置する張出部と、を備えている。
【０００９】
請求項１記載の記録メディアカートリッジは、第１ケースと第２ケースとを接合して成るケース内に記録メディアを収容して構成されている。ケースは、第１ケースの周壁と第２ケースの周壁とが互いの開口端を突き合わせた状態で接合されて構成されており、この状態で第１ケースの係合部が第２ケースの切欠き部に入りこむと共に、該切欠き部の縁部から張り出した張出部が係合部の係合面と周壁の開口端との間に位置している。このように切欠き部に入りこんだ係合部は、周壁の一部を構成してケース外に露出している。
【００１０】
このため、第１ケースと第２ケースを分離しようとすると、張出部と係合部の係合面とが係合し、これらを容易に分離することができない。そして、第１ケースと第２ケースとを無理に分離すると、係合部または張出部が破損するため、該係合部または張出部の破損の有無によって、ケースが第１ケースと第２ケースとの分離後に再組立されたものか否かを外観から判別することができる。
【００１１】
このように、請求項１記載の記録メディアカートリッジでは、記録メディアを収容したケースの分解・再組立の有無を外観から目視で判別することができる。
【００１２】
請求項２記載の発明に係る記録メディアカートリッジは、請求項１記載の記録メディアカートリッジにおいて、前記係合部と前記切欠き部と前記張出部とを、前記周壁における異なる方向を向く部分にそれぞれ設けた、ことを特徴としている。
【００１３】
請求項２記載の記録メディアカートリッジでは、少なくとも２組の係合部と切欠き部と張出部とがケースの周壁における異なる方向を向く面に沿ってそれぞれ設けられている。このため、１組の係合部（係合面）と張出部との係合部位をヒンジの如き支点にして、該係合部または張出部を破損することなく第１ケースと第２ケースとを分離することが確実に防止され、記録メディアを収容したケースの分解・再組立の有無を外観から目視で確実に判別することができる。
【００１４】
なお、周壁における異なる方向を向く面とは、例えば、１つの平面に対し平行なまたは交差する方向の面であっても良く、円弧状等の曲面とされた１つの面における互いに離間した部分であっても良い。
【００１５】
請求項３記載の発明に係る記録メディアカートリッジは、請求項１または請求項２記載の記録メディアカートリッジにおいて、前記第２ケースに設けられ前記係合部の内面と対向する内壁と、該内壁に設けられ前記係合部または張出部が破損すると外部に露出するマークとをさらに備えた、ことを特徴としている。
【００１６】
請求項３記載の記録メディアカートリッジでは、切欠き部または張出部が破損すると、第２ケースの内壁に設けられたマークがケース外部から目視可能に露出する。このため、記録メディアを収容したケースの分解・再組立の有無を外観から目視で容易に判別することができる。なお、マークは、例えば、文字、記号、図形、係合部若しくは切欠き部とは異なる色の着色、またはこれらの一部若しくは全部の組み合わせ等から、適宜選択することができる。
【発明の効果】
【００１７】
以上説明したように本発明に係る記録メディアカートリッジは、記録メディアを収容したケースの分解・再組立の有無を外観から目視で判別することができるという優れた効果を有する。
【発明を実施するための最良の形態】
【００１８】
本発明の一実施の形態に係る記録メディアカートリッジとしての記録テープカートリッジ１０について、図１乃至図８に基づいて説明する。まず、記録テープカートリッジ１０の概略の全体構成、開口及びドアの構成を説明し、次いで、本発明の要部であるケース１２の係合構造について説明する。なお、説明の便宜上、矢印Ａで示す記録テープカートリッジ１０のドライブ装置への装填方向を記録テープカートリッジ１０の前方向（前側）とし、矢印Ａと直交する矢印Ｂ、矢印Ｃ方向をそれぞれ右方向、左方向とする。
【００１９】
（記録テープカートリッジの全体構成）
図１及び図２には記録テープカートリッジ１０の全体構成が斜視図にて示されており、図３には記録テープカートリッジ１０の概略の分解斜視図が示されている。これらの図に示される如く、記録テープカートリッジ１０は、平面視で略矩形状のケース１２内に、情報記録再生媒体である記録メディアとしての磁気テープＴを巻装した単一のリール１４を回転可能に収容して構成されている。
【００２０】
ケース１２は、ドライブ装置への装填方向先頭側の１つの角部である右前角部がそれぞれ切り欠かれた一対の上ケース１６と下ケース１８とを互いの周壁１６Ａ、１８Ａを突き合わせて接合することで構成されており、内部に磁気テープＴを巻装したリール１４の収容空間が設けられている。そして、上ケース１６及び下ケース１８の周壁１６Ａ、１８Ａ、天板１６Ｂ、底板１８Ｂが切り取られた上記右前角部が磁気テープＴの引き出し用の開口２０とされている。開口２０及び該開口２０を開閉するドア５０の詳細構成については後述する。
【００２１】
この開口２０から引き出される磁気テープＴの自由端には、ドライブ装置の引出手段によって係止（係合）されつつ引き出し操作されるリーダピン２２が接続されている。リーダピン２２の磁気テープＴの幅方向端部より突出した両端部には、環状溝２２Ａが形成されており、この環状溝２２Ａが引出手段のフック等に係止される。これにより、磁気テープＴを引き出す際に、フック等が磁気テープＴに接触して傷付けない構成である。
【００２２】
また、ケース１２の開口２０の内側には、ケース１２内においてリーダピン２２を位置決め、保持する上下一対のピン台２４が設けられている。各ピン台２４は、それぞれ矢印Ｂ方向に開口する半円筒形状をしており、その凹部２４Ａに直立した状態のリーダピン２２の両端部が保持されるようになっている。このピン台２４は、後述するリブ４４と連設されている。
【００２３】
各ピン台２４の近傍には板ばね２５が固定配置されており、この板ばね２５のアーム部２５Ａがリーダピン２２の上下端部に係合してリーダピン２２をピン台２４に保持するようになっている。リーダピン２２がピン台２４に出入りする際には、板ばね２５はアーム部２５Ａを適宜弾性変形させてリーダピン２２の移動を許容する構成である。
【００２４】
さらに、下ケース１８の底板１８Ｂの中央部には、リール１４の図示しないリールギヤを外部に露出するためのギヤ開口２６が設けられており、リール１４はリールギヤがドライブ装置の駆動ギヤに噛合わされてケース１２内で回転駆動されるようになっている。また、リール１４は、記録テープカートリッジ１０の不使用時には図示しないロック手段によって回転が阻止されており、リールギヤがドライブ装置の駆動ギヤに噛合わされる動作に伴ってロック手段によるロック状態が解除されて回転可能となる構成とされている。さらに、リール１４は、上ケース１６及び下ケース１８の内面にそれぞれ部分的に突設されてギヤ開口２６と同軸的な円形の軌跡上にある遊動規制壁２８によって、ケース１２内におけるガタつきが規制されている。
【００２５】
この遊動規制壁２８の開口２０近傍の端部には、内部に位置規制用孔が形成された袋部２８Ａが連設されている。また、ケース１２の左前角部と遊動規制壁との間に挟まれた空間には、左右方向に長手の長孔である位置規制用孔が形成された袋部２８Ｂが立設されている。袋部２８Ａ、２８Ｂは、矢印Ｂ方向に沿った一直線上に配置されている。そして、袋部２８Ａが連設された端部を除いて、各遊動規制壁２８は、それぞれ端部がケース１２の周壁１６Ａまたは周壁１８Ａと連設されることで、その外側とリール１４の設置空間とを仕切っている。
【００２６】
また、下ケース１８の右後部には、各記録テープカートリッジ１０毎に、その各種情報を記憶されたメモリボードＭ（図３及び図６参照）が設置されるようになっており、下面側から読み取るドライブ装置と、背面側から読み取るライブラリ装置での検知が可能となるように、周壁１８Ａを構成する傾斜後壁１８Ｃの一部が所定角度だけ傾斜され、メモリボードＭが所定角度傾斜配置されるようになっている。
【００２７】
メモリボードＭは、磁気テープＴに１度情報が書き込まれる（記憶される）と、ドライブ装置によって該書き込み履歴が記録されるようになっている。そして、このメモリボードＭに記録された書き込み履歴がドライブ装置によって読み取られると、該ドライブ装置は、磁気テープＴへの再度の情報の記録、すなわち磁気テープＴへの情報の上書きまたは消去を禁止するようになっている。これにより、本記録テープカートリッジ１０は、磁気テープＴへの情報の書き込みを１度だけ許容し、該情報の書き込み後には読み込み専用とされる、所謂ＷＯＲＭ機能を果たす構成とされている。
【００２８】
（開口及び開口近傍のケースの構成）
上ケース１６の底面図である図４及び下ケース１８の平面図である図５にも示される如く、開口２０の前後の縁部には、それぞれ上下一対のビスボス３２、３６が設けられている。ビスボス３２、３６は、図示しない他のビスボスと共に上ケース１６と下ケース１８とを接合するためのビス止め用とされている。
【００２９】
開口２０の前縁部に位置するビスボス３２は、ケース１２の前壁１２Ａ（周壁１６Ａ、１８Ａのうち、外面が矢印Ａ方向を向く部分）の右端部、及び該前壁１２Ａの右端部から開口２０の開放面に沿って短く屈曲された上下一対の防塵壁３０とそれぞれ連設されている。ビスボス３２と防塵壁３０との間には後述するドア５０の先端部が入り込む凹部３０Ａが形成されている。
【００３０】
一方、開口２０の後縁部に位置するビスボス３６は、ケース１２の右壁１２Ｂ（周壁１６Ａ、１８Ａのうち、矢印Ａ方向に沿った右側の壁）の前端部が開口２０の開放面に略沿って屈曲された屈曲壁３８、及び該右壁１２Ｂの内側に設けられた上下一対の円弧壁３４の前端部とそれぞれ連設されている。上下の円弧壁３４は、それぞれ平面視で後述するドア５０の外周面（の移動軌跡）に略対応した円弧状に形成されており、それぞれビスボス３６から所定長さだけ後方へ伸び、該後部において短い連結壁３４Ａを介して右壁１２Ｂ（周壁１６Ａまたは周壁１８Ａ）に連設されている。
【００３１】
また、ケース１２の右壁１２Ｂには、ケース１２の内外を連通する窓部としての所定長さのスリット４０が設けらており、後述するドア５０の操作突起５２の露出用とされている。スリット４０は、右壁１２Ｂを構成する周壁１６Ａの下部を切り欠いて形成され、上ケース１６の屈曲壁３８の下部をも切り欠くことで前方へも開口されている。
【００３２】
このケース１２を構成する上ケース１６及び下ケース１８には、それぞれドア５０をガイドするためのガイド溝４２が設けられている。各ガイド溝４２は、その溝壁が、それぞれ上ケース１６の天板１６Ｂ、下ケース１８の底板１８Ｂから立設されたリブ４４、右壁１２Ｂ（周壁１６Ａまたは周壁１８Ａ）、遊動規制壁２８によって構成されることで、それぞれ天板１６Ｂまたは底板１８Ｂを薄肉化することなく形成されている。リブ４４はピン台２４に連設されている。
【００３３】
各ガイド溝４２は、凹部３０Ａを基端としケース１２の右後角部まで至る所定の円周に沿った円弧状に形成されており、この所定の円周はビスボス３２の外側、ビスボス３６の内側、右壁１２Ｂと遊動規制壁２８との間を通る（縫う）ように決められている。そして、この所定の円周の中心位置（後述するドア５０の回転中心）は、本実施の形態では、その左右方向の位置（座標）がケース１２の左端よりも外側に、その前後方向の位置（座標）がリール１４の回転中心（遊動規制壁２８の軸心）と略一致するように設定されている。
【００３４】
また、ガイド溝４２における開口２０に臨んで位置する部分は、リブ４４がピン台２４の右方において切り欠かれることで凹部２４Ａと連通されると共に、板ばね２５のアーム部２５Ａが配置されるばね溝４５とも連通している。また、ガイド溝４２の切欠き部分では、リーダピン２２をケース１２内に誘い込むテーパ開口２０Ａがピン台２４の凹部２４Ａに連通している。さらに、リブ４４には、テーパ開口２０Ａの後縁、ビスボス３６の前縁、開口２０の開放面にそれぞれ沿って形成されたリブ４６が連設されており、ケース１２の開口２０廻りの強度が確保または向上されている。
【００３５】
さらに、各ガイド溝４２の後半部分を構成するリブ４４は、その後端において略Ｕ字状に折り返されて閉じている。そして、上ケース１６のリブ４４は、下ケース１８のリブ４４よりも後方に長く形成されている。これは、下ケース１８の傾斜後壁１８Ｃ（周壁１８Ａ）が所定角度の傾斜面になっており、その右壁１２Ｂ側に配設したメモリボードＭをドア５０と干渉させないためである。
【００３６】
さらに、後半部分のリブ４４の内側部分における長手中央部には、上下一対のばね掛けピン５５が設けられている。各ばね掛けピン５５は、それぞれ遊動規制壁２８に連設されており、下ケース１８側が長く形成され、その遊動規制壁２８よりも上方に突出した部分に後述するコイルばね５６の一端側環状部５６Ａが引掛けられる構成である。そして、この下ケース１８側のばね掛けピン５５に上ケース１６側の短いばね掛けピン５５が突き当てられることで、コイルばね５６の脱落が阻止されるようになっている。
【００３７】
（ドアの構成）
上記開口２０は、遮蔽部材としてのドア５０によって開閉されるようになっている。ドア５０は、板厚方向に湾曲され、その平面視における曲率がガイド溝４２（所定の円周）の曲率と一致する円弧状に形成されている。また、ドア５０は、その前部（少なくとも開口２０を閉塞する部分）における板幅（高さ）が開口２０の開口高さと略同一に形成された部分が閉塞部５０Ａとされると共に、閉塞部５０Ａよりも後側の板幅が若干小さくされた部分が駆動部５０Ｂとされている。
【００３８】
このドア５０の板長（湾曲した長手寸法）は、開口２０の閉塞状態において駆動部５０Ｂの後端部がケース１２の右後角部内に位置するように決められている（図６（Ａ）参照）。なお、駆動部５０Ｂの後下部は、下ケース１８の傾斜後壁１８Ｃの傾斜面に配設されたメモリボードＭを回避するために、斜めに切り欠かれている。
【００３９】
このドア５０は、その閉塞部５０Ａの先端部がビスボス３２の外側に位置する凹部３０Ａに入り込んだ状態で開口２０を閉塞し（図６（Ａ）参照）、ガイド溝４２に沿って略後方へ移動（回動）して開口２０を開放し（図６（Ｂ）参照）、閉塞部５０Ａの先端近傍の外周面がビスボス３６の内側近傍に達すると開口２０を完全に開放する（図６（Ｃ）参照）構成である。また、ドア５０は、開口２０を開放する際と略反対方向に回動して開口２０を閉塞するようになっている。
【００４０】
このように、ドア５０は、その移動軌跡である所定の円周をはみ出すことなく回動して開口２０を開閉するように湾曲形成されている。ドア５０の回転中心及び半径（ガイド溝４２の形状）は、ドライブ装置からの要求により決まる開口２０前後の縁部（ビスボス３２、３６）の位置やライブラリ装置からの要求により決まる開口２０の開放面の角度等に応じて適宜決められれば良い。
【００４１】
また、ドア５０の上下端には、それぞれ上下のガイド溝４２に入り込むそれぞれ複数の凸部５１が突設されている。各凸部５１は、閉塞部５０Ａと駆動部５０Ｂとで突出高が異なるが、ドア５０の幅方向（長手方向に沿った）中心線からそれぞれの頂部までの距離は一定とされている。これにより、上下の凸部５１は、ガイド溝４２の底部である天板１６Ｂまたは底板１８Ｂと摺動するようになっている。
【００４２】
また、各凸部５１におけるドア５０の板厚方向両側には、その頂部がドア５０板厚方向端面に沿う突起５１Ａが突設されており、ガイド溝４２の溝壁（リブ４４等）と摺動するようになっている。なお、最前に位置する凸部５１は、開口２０の開閉過程でガイド溝４２と連通するテーパ開口２０Ａには入り込まないように配置されている。
【００４３】
これらの凸部５１及び突起５１Ａによって、ドア５０は、開口２０を開閉する際に各ガイド溝４２にガイドされて上記移動軌跡からはみ出すことなく、ビスボス３２の外側及びビスボス３６の内側、右壁１２Ｂと遊動規制壁２８との間を縫うようにして確実に開動する構成である。
【００４４】
このドア５０の駆動部５０Ｂの前端（閉塞部５０Ａ側）近傍における外周部には、操作部としての操作突起５２がドア５０の径方向に沿って突設されている。操作突起５２は、スリット４０からケース１２の外側に露出されており、記録テープカートリッジ１０のドライブ装置への装填（相対移動）に伴って該スリット４０の前方に開口した部分から進入する係合突起８８と係合することでドア５０を開口２０の開放方向に移動させる構成である。
【００４５】
また、ドア５０の駆動部５０Ｂの後端部には、該ドア５０の内面側に向けて略Ｌ字状のばね掛け部５４が突設されており、ばね掛け部５４は上側が自由端とされている。このばね掛け部５４には、付勢手段としてのコイルばね５６が係止保持用されている。具体的には、コイルばね５６の端部にはそれぞれ係止用の環状部５６Ａ、５６Ｂが設けられており、環状部５６Ａはケース１２のばね掛けピン５５を挿通させてケース１２に係止保持され、環状部５６Ｂはばね掛け部５４を挿通させてドア５０に係止保持される。
【００４６】
これにより、ドア５０は、コイルばね５６の付勢力によって開口２０の閉塞方向に付勢され、通常開口２０を閉塞する構成である。このコイルばね５６は、上記の通りドア５０が開口２０の閉塞状態でケース１２の右後角部に至る長さであるため、該右後角部における遊動規制壁２８と周壁１６Ａ、１８Ａ（傾斜後壁１８Ｃ）との間の空間を有効利用して配設されている。
【００４７】
また、ドア５０の閉塞部５０Ａ内面には、開口２０閉塞時にリーダピン２２の上端部側面及び下端部側面に当接するストッパ５８が突設されており、落下衝撃等によるリーダピン２２のピン台２４からの脱落を、確実に防止できるようになっている。
【００４８】
以上説明したドア５０は、記録テープカートリッジ１０がドライブ装置へ装填される動作によって操作突起５２がドライブ装置の係合突起８８（図６（Ａ）乃至（Ｃ）参照）に係合することでコイルばね５６の付勢力に抗してケース１２に対し移動し開口２０を開放し、ドライブ装置から排出される際にはコイルばね５６の付勢力によって開口２０を閉塞する構成である。
【００４９】
そして、円弧状に湾曲形成されたドア５０は、その湾曲形状に沿った移動軌跡からはみ出すことなくリール１４及びピン台２４（リーダピン２２）の外側を回り込むように回動して、矢印Ａ方向に対し傾斜した開口２０を開閉するようになっており、開口２０の開閉に際してケース１２の外形領域からはみ出さない構成である。
【００５０】
（ケースの係合構造の構成）
次に、ケース１２を構成する上ケース１６と下ケース１８との係合構造について説明する。以下の説明では、周壁１６Ａ、１８Ａにて構成されケース１２における矢印Ａ方向に沿う左側の側壁を左壁１２Ｃということとする。
【００５１】
図５に示される如く、下ケース１８の周壁１８Ａにおける右壁１２Ｂ、左壁１２Ｃを構成する部分には、それぞれ凹部６０が設けられている。図７にも示される如く、各凹部６０は、それぞれ側方及び上方に開口している。具体的には、下ケース１８には、それぞれ周壁１８Ａにおける矩形状の切欠き縁部の前後縁からそれぞれケース１２内方に連続する前後一対の横壁６２と、横壁６２の内端を連結する連結壁６４とがそれぞれ底板１８Ｂから立設されており、各横壁６２と連結壁６４と底板１８Ｂによって囲まれた空間が各凹部６０とされている。
【００５２】
したがって、各凹部６０は、周壁１８Ａの外面において右方または左方に開口すると共に、周壁１８Ａの開口端（周壁１６Ａとの突き合わせ端であるパーティングラインＰＬ）において上方に開口している。また、各凹部６０における側方への開口下縁は、切り残された周壁１８Ａの上縁によって規定されている。そして、各凹部６０の前後の開口縁部を規定する周壁１８Ａの切欠き縁部には、それぞれ凹部６０の前後に連通する係合凹部６６が設けられている。
【００５３】
各係合凹部６６は、それぞれ凹部６０の上下方向の中間部に連通するように配置されており、それぞれの上縁が周壁１８Ａの上端面と略平行とされると共に、それぞれの下縁が凹部６０側で開口高さを広げるように傾斜して形成されている。これにより、係合凹部６６の上方には、周壁１８Ａが切り残されて係合凹部６６を上側から覆う被係合部６８が形成されており、被係合部６８の下面（係合凹部６６の上縁）が被係合面６８Ａとされている。また、各係合凹部６６のケース側方に臨む底面６６Ａは、周壁１８Ａまたは横壁６２によって形成されており、該底面６６Ａは、例えば黒色とされたケース１２外面に対し赤色または黄色に着色（図示省略）されている。
【００５４】
以上説明した凹部６０（における周壁１８Ａの切欠き部分）及び係合凹部６６が、本発明における「切欠き部」に相当する。また、被係合部６８が本発明における「張出部」に相当する。さらに、係合凹部６６の底面６６Ａが本発明における「内壁」に相当し、ケース１２の他の部分と異なる着色が本発明における「マーク」に相当する。
【００５５】
一方、上ケース１６の周壁１６Ａの開口端（周壁１６Ａとの突き合わせ端であるパーティングラインＰＬ）における各凹部６０に対応する位置からは、それぞれ「係合部」としての係合片７０が下方に延設されている。係合片７０は、凹部６０の前後方向の開口幅に略対応した幅を有する矩形状に形成された閉塞部７２と、閉塞部７２の下端部から延設された前後一対の係合爪７４を備えて構成されている。閉塞部７２の内面及び閉塞部７２上方の周壁１６Ａからは、上下方向に長手とされ天板１６Ｂまで至るリブ７６が突設されており、係合片７０を補強している。
【００５６】
また、各係合爪７４は、ぞれぞれ係合凹部６６に略対応した形状とされており、その上面が周壁１６Ａの下端面と対向する係合面７４Ａとされている。本実施の形態では、係合面７４Ａが周壁１６Ａの下端面と略平行とされている。これにより、係合片７０の下部は、全体として先端側で幅狭のテーパ状に形成されている。
【００５７】
図８（Ａ）にも示される如く、各閉塞部７２は、それぞれの突出高が周壁１８Ａの上端から係合凹部６６の下端部までの高さに略対応しており、上ケース１６と下ケース１８との接合状態では凹部６０に入り込んで該凹部６０の側方開口部の上部を閉塞するようになっている。また、この状態で、各係合爪７４は、それぞれ対応する係合凹部６６に入り込み、底面６６Ａが外部に露出しないように係合凹部６６を閉塞する構成とされている。そして、この状態では、被係合部６８の被係合面６８Ａと係合爪７４の係合面７４Ａとが、互いに接触するかまたは極近接して位置している。これにより、各係合片７０は、凹部６０及び係合凹部６６に入りこんで、ケース１２の右壁１２Ｂまたは左壁１２Ｃを構成している。
【００５８】
以上により、係合部として係合片７０が一体に設けられた上ケース１６が本発明における「第１ケース」に相当し、切欠き部として凹部６０、係合凹部６６及び張出部としての被係合部６８が設けられた下ケース１８が本発明における「第２ケース」に相当する。
【００５９】
これらの上ケース１６と下ケース１８とを接合するにあたっては、各係合片７０と凹部６０との位置合せをした状態で、上ケース１６と下ケース１８とを互いに上下方向に押し付ける。これにより、係合片７０及び凹部６０の少なくとも一方が適宜弾性変形して係合爪７４が係合凹部６６に入り込むと共に閉塞部７２が凹部６０の上部に入り込み、周壁１６Ａ、１８Ａが互いの開口端部を突き合わせる。この状態で、上ケース１６と下ケース１８とを、各ビスボス３２、３６及び図示しない他のビスボスに図示しないビスを下側からねじ込んで固定（接合）することで、ケース１２が構成される。
【００６０】
ここで、係合爪７４が係合凹部６６に入り込むことで、上記の通りそれぞれパーティングラインＰＬに略平行な被係合面６８Ａと係合面７４Ａとが互いに接触するかまたは極近接するため、ケース１２は、上ケース１６と下ケース１８とを上記接合後における分離が困難となる構成である。そして、この上ケース１６と下ケース１８とを無理に分離しようとすると、本実施の形態では、各係合爪７４が破損（破断）して閉塞部７２から脱落するようになっている。なお、閉塞部７２と各係合爪７４との間に、脆弱部として、薄肉部や切り込み等を設定しても良い。
【００６１】
また、本実施の形態では、係合片７０の高さが凹部６０の開口高さよりも小であることにより、ケース１２の右壁１２Ｂ、左壁１２Ｃには、凹部６０の上部が係合片７０によって閉塞され側方にのみ開口する凹部７８が形成されている。この凹部７８は、例えば、ライブラリ装置のホルダ部内において係合部材が入り込むようになっている。これにより、該ホルダ部からの記録テープカートリッジ１０の脱落を阻止される構成である。
【００６２】
さらに、ケース１２の右壁１２Ｂ、左壁１２Ｃには、凹部７８よりも後方にそれぞれ凹部８０が設けられている。各凹部８０は、上記ライブラリ装置とは別仕様のライブラリ装置のホルダ部において係合部材が入り込むことで、該ホルダ部からの記録テープカートリッジ１０の脱落を阻止するようになっている。そして、各凹部７８は、凹部８０とは設置高さ及び開口高さが異なり、凹部８０に対応する係合部材が入り込めない構成とされている。さらに、各凹部７８の設置高さ及び開口高さは、ホルダ部に対し記録テープカートリッジ１０を挿脱するための送り機構に設けられた駆動ローラが入り込めないように決められている。
【００６３】
次に、本実施の形態の作用を説明する。
【００６４】
上記構成の記録テープカートリッジ１０では、不使用時には、コイルばね５６の付勢力によって先端部を凹部３０Ａに入り込ませたドア５０が開口２０を閉塞している。この記録テープカートリッジ１０の磁気テープＴが未使用である場合、すなわち磁気テープＴに情報が書き込まれていない場合には、メモリボードＭには書き込み履歴が記録されていない。
【００６５】
そして、磁気テープＴに情報を書き込む際には、記録テープカートリッジ１０を矢印Ａ方向に沿ってドライブ装置のバケットに装填する。この装填に伴って、ドライブ装置の係合突起８８がドア５０の操作突起５２に係合することでドア５０が略後方へ回動して開口２０が開放される。また、記録テープカートリッジ１０と共にバケットが下降すると、袋部２８Ａ、２８Ｂに形成された位置規制用孔にドライブ装置の位置決めピンが挿入され記録テープカートリッジ１０がドライブ装置に対し位置決めされると共に、リール１４のリールギヤにドライブ装置の駆動ギヤが噛み合う。
【００６６】
この状態から、リーダピン２２がドライブ装置の引出手段によって開口２０から引き出されてドライブ装置の巻取リールに収容される。さらに、ドライブ装置が巻取リールとリール１４とを同期して回転駆動すると、磁気テープＴは、巻取リールに巻き取られつつケース１２から順次引き出され、所定のテープ経路に沿って配設された記録再生ヘッド等によって情報の記録、すなわち情報の書き込みが行なわれる。このとき、メモリボードＭには、磁気テープＴに情報が書き込まれたことに対応する書き込み情報（書き込み履歴）が記録される。
【００６７】
一方、磁気テープＴがリール１４に巻き戻されて、記録テープカートリッジ１０をドライブ装置から排出する際には、記録テープカートリッジ１０は、コイルばね５６の付勢力または図示しないイジェクト機構によって矢印Ａ方向とは反対方向に移動する。この移動に伴って、ドア５０は、コイルばね５６の付勢力によって開口２０を閉塞する。
【００６８】
このようにして磁気テープＴに１度情報が書き込まれると、記録テープカートリッジ１０をドライブ装置に再度装填しても、ドライブ装置がメモリボードＭに記録された書き込み情報を参照することで、情報の上書きまたは消去が行なわれることはない。そして、磁気テープＴに１度情報が書き込まれた記録テープカートリッジ１０は、その後、該情報の読み込み（再生）専用の記録テープカートリッジとして使用される。
【００６９】
磁気テープＴに書き込まれた情報を読み込む場合は、上記書き込みの場合と同様に、記録テープカートリッジ１０をドライブ装置に装填する。すると、上記書き込みの場合と同様に、開口２０が開放されて磁気テープＴが引き出され、記録再生ヘッドによって磁気テープＴの情報が読み込まれる。
【００７０】
ところで、以上のようなＷＯＲＭ機能を有する記録テープカートリッジ１０の磁気テープＴに書き込まれる情報は、長期に亘り改変されることなく保存される重要な情報である場合が多い。このような重要な情報を悪意により改ざんする場合、情報を記録した磁気テープＴ（を巻装したリール１４）自体または書き込み履歴を記録したメモリボードＭを不正に取り替えるために、ケース１２を分解することが考えられる。すなわち、情報の改ざんを試みる者は、上ケース１６と下ケース１８とを分離しようとする。
【００７１】
ここで、上ケース１６に設けられた係合片７０の係合爪７４が下ケース１８に設けられた係合凹部６６に入り込んでいるため、上ケース１６と下ケース１８とを分離しようとすると、被係合部６８の被係合面６８Ａと係合爪７４の係合面７４Ａとが係合し、上ケース１６と下ケース１８とを容易に分離することができない。
【００７２】
そして、上ケース１６と下ケース１８とをとを無理に分離すると、図８（Ｂ）に示される如く、係合爪７４が破損して閉塞部７２から脱落する。この係合爪７４が脱落した上ケース１６と下ケース１８と再度接合してケース１２を組み立てると、図８（Ｃ）に示される如く、該係合爪７４が脱落したことを、記録テープカートリッジ１０の外観から目視にて判別することができる。すなわち、記録テープカートリッジ１０（ケース１２）の外観から、係合爪７４の破損の有無によって、ケース１２が上ケース１６と下ケース１８との分離後に再組立されたものか否かを判別することができる。
【００７３】
しかも、係合爪７４が脱落すると該係合爪７４にて閉塞されていた係合凹部６６の底面６６Ａが外部に露出し、この底面６６Ａにはケース１２の他の部分（特に係合爪７４）とは異なる目立つ着色が施されているため、ケース１２が上ケース１６と下ケース１８との分離後に再組立されたものであることを、記録テープカートリッジ１０の外観から容易に判別することができる。
【００７４】
さらに、係合片７０と係合凹部６６等とがケース１２の右壁１２Ｂ、左壁１２Ｃにそれぞれ設けられているため、換言すれば、係合片７０と係合凹部６６等とがケース１２の周壁における異なる方向を向く面に設けられているため、係合爪７４を破損することなくケース１２を開放することが確実に防止される。すなわち、例えば、係合片７０と係合凹部６６等とを１組だけ設けた場合には、係合面７４Ａと被係合面６８Ａとの係合部位を支点（ヒンジ）にして、係合爪７４を破損することなく上ケース１６と下ケース１８とを相対的に回動してリール１４またはメモリボードＭを交換可能にケース１２を開放することも懸念されるが、係合片７０と係合凹部６６等とをケース１２の周壁における異なる方向を向く面に設けることで、このような係合爪７４を破損することのないケース１２の開放行為が確実に防止される。
【００７５】
このように、本実施の形態に係る記録テープカートリッジ１０では、磁気テープＴを収容したケース１２の分解・再組立の有無を外観から目視で判別することができる。
【００７６】
なお、上記の実施の形態では、凹部６０が係合片７０の上部を閉塞されて凹部７８を構成する構成を例示したが、本発明はこれに限定されず、例えば、図９に示される変形例の如く、凹部６０に代えて係合片７０によって全体的に閉塞される切欠き部８２を下ケース１２の周壁１８Ａに設けても良い。本変形例に係る下ケース１８における切欠き部８２の前後の縁部からは、係合爪７４の係合面７４Ａと周壁１６Ａの下端面（周壁１８Ａの上端面）との間に入り込む張出部８４が延設されている。したがって、張出部８４の下面が係合爪７４の係合面７４Ａと係合する被係合面８４Ａとされている。
【００７７】
このように、本発明における係合部と張出部とは、上ケース１６と下ケース１８とを分離しようとすると互いに係合するように形成されていれば足りる。そして、上ケース１６と下ケース１８とを無理に分離した場合に破損する部位は、係合爪７４に限定されることはなく、例えば張出部８４や被係合部６８であっても良い。また、本発明が係合爪７４の形状や数、凹部６０または切欠き部８２の形状等によって限定されないことは言うまでもない。さらに、図９に示される如く、下ケース１８には係合爪７４と対向する内壁に相当する部分、及びマークを備えなくても良い。また、図示は省略するが、横壁６２を係合凹部６６または切欠き部８２の前後方向外側に設け、連結壁６４を本発明における係合部（係合片７０）または張出部（被係合部６８、張出部８４）と対向する内壁として用いても良い。
【００７８】
また、上記の実施の形態では、係合片７０、係合凹部６６または切欠き部８２がケース１２の右壁１２Ｂ、左壁１２Ｃにそれぞれ設けられた好ましい構成としたが、本発明はこれに限定されず、例えば、これらを右壁１２Ｂ及び前壁１２Ａに設けても良く、前壁１２Ａが平面視で円弧状に湾曲している構成では、該前壁１２Ａにおける異なる２箇所に係合片７０と係合凹部６６等とを設けても良い。
【００７９】
さらに、上記の実施の形態では、係合凹部６６の底面６６Ａにケース１２の他の部分とは異なる着色を施したマークを設けた好ましい構成としたが、本発明はこれに限定されず、例えば、マークとして文字、記号、図形等、またはこれらの一部若しくは全部の組み合わせ（色を組み合わせる場合を含む）等を採用することも可能である。
【００８０】
さらにまた、上記の実施の形態では、上ケース１６が係合片７０を有し、下ケース１８が凹部６０及び係合凹部６６を有する構成としたが、本発明はこれに限定されず、例えば、上ケース１６に凹部６０及び係合凹部６６を設けると共に下ケース１８に係合片７０を設けた構成としても良い。すなわち、上ケース１６を本発明にける第２ケースとすると共に下ケース１８を本発明における第１ケースとしても良い。
【００８１】
また、上記の実施の形態では、記録メディアとしての磁気テープＴを巻装した単一のリール１４をケース１２内に収容した構成を例示したが、本発明はこれに限定されず、例えば、記録メディアとして円盤状に形成された光ディスク、光磁気ディスク、磁気ディスク等のディスクメディアを採用しても良く、磁気テープ等の記録テープの巻き出し用及び巻取用の２つのリールをケース内に収容して構成しても良い。したがって、ケース１２の形状や構成についても、内部に収容する記録メディアや記録メディアカートリッジが装填されるドライブ装置の仕様等に応じたものとすることができ、上記実施の形態に係る形状、構成に限定されることはない。
【図面の簡単な説明】
【００８２】
【図１】本発明の実施の形態に係る記録テープカートリッジの全体構成を示す斜視図である。
【図２】本発明の実施の形態に係る記録テープカートリッジの全体構成を示す、図１とは異なる方向から見た斜視図である。
【図３】本発明の実施の形態に係る記録テープカートリッジの分解斜視図である。
【図４】本発明の実施の形態に係る記録テープカートリッジを構成する上ケースの底面図である。
【図５】本発明の実施の形態に係る記録テープカートリッジを構成する下ケースの平面図である。
【図６】本発明の実施の形態に係る記録テープカートリッジの開口の開放過程を示す上ケースを取り除いて見た図であって、（Ａ）はドアの操作突起へのドライブ装置の係合突起の係合初期状態を示す平面図、（Ｂ）は開口の開放途中を示す平面図、（Ｃ）は開口の開放完了状態を示す平面図である。
【図７】本発明の実施の形態に係る記録テープカートリッジにおけるケースの係合構造を構成する凹部と係合片とを示す分解斜視図である。
【図８】本発明の実施の形態に係る記録テープカートリッジにおけるケースの係合構造を構成する凹部と係合片とを示す図であって、（Ａ）は上ケースと下ケースとの初期組付状態を示す側面図、（Ｂ）は上ケースと下ケースとを分離した状態を示す側面図、（Ｃ）は上ケースと下ケースとを分離後に再組立した状態を示す側面図である。
【図９】本発明の実施の形態に係る記録テープカートリッジにおけるケースの係合構造を構成する凹部及び係合片の変形例を示す分解斜視図である。
【符号の説明】
【００８３】
１０    記録テープカートリッジ（記録メディアカートリッジ）
１２    ケース
１４    リール（記録メディア）
１６    上ケース（第１ケース）
１８    下ケース（第２ケース）
６０    凹部（切欠き部）
６６    係合凹部（切欠き部）
６８    被係合部（張出部）
７０    係合片（係合部）
７４    係合爪（係合部）
７４Ａ  係合面
８２    切欠き部
８４    張出部
【図１】
2005129138.tif 000003
【図２】
2005129138.tif 000004
【図３】
2005129138.tif 000005
【図４】
2005129138.tif 000006
【図５】
2005129138.tif 000007
【図６】
2005129138.tif 000008
【図７】
2005129138.tif 000009
【図８】
2005129138.tif 000010
【図９】
2005129138.tif 000011